(57)【要約】【課題】風合い、着用感、通気性が良好であり、着色などしなくても着用時に肌や陰部が透けて見える事態を生じ難く、さらに、フリーサイズ化が可能な使い捨て衣料の材料となる生地の提供。【解決手段】第一不織布２ａと第二不織布２ｂとを有する積層シート２と、前記第一不織布２ａと前記第二不織布２ｂとの間において接着によりこれらと一体化されて前記積層シート２に伸縮性を付与する弾性部材３とを含んでなる。前記弾性部材３によって、前記積層シート２の少なくとも一部に、前記弾性部材３の伸縮方向ｘに交叉する向きｙに実質的に連続する複数の凹凸付形４を、この複数の凹凸付形４の形成箇所において前記積層シート２の平均遮光率を７５％以上とするように形成させてなる。【選択図】図１
2018123433.tif 000002
【特許請求の範囲】
【請求項１】
第一不織布と第二不織布とを有する積層シートと、
前記第一不織布と前記第二不織布との間において接着されて前記積層シートに伸縮性を付与する弾性部材とを含んでなり、
前記弾性部材によって、前記積層シートの少なくとも一部に、前記弾性部材の伸縮方向に交叉する向きに実質的に連続する複数の凹凸付形を、この複数の凹凸付形の形成箇所において前記積層シートの平均遮光率を７５％以上とするように形成させてなる、使い捨て衣料用生地。
【請求項２】
長さを備えた複数の前記弾性部材を、隣り合う弾性部材との間に所定の間隔を開けて並列配置させてなる、請求項１に記載の使い捨て衣料用生地。
【請求項３】
前記積層シートの全体に前記凹凸付形を形成させてなる、請求項１又は２に記載の使い捨て衣料用生地。
【請求項４】
前記弾性部材は、前記積層シートの伸び率を１．２〜６．０倍とさせる特性を備えてなる、請求項１〜請求項３のいずれか１項に記載の使い捨て衣料用生地。
【請求項５】
前記不織布を、押圧手段により、一回以上押圧処理したものとしてなる、請求項４に記載の使い捨て衣料用生地。
【請求項６】
前記押圧手段を、エンボスロールを含んだものとしてなる、請求項５に記載の使い捨て衣料用生地。
【請求項７】
前記接着を、前記第一不織布、前記第二不織布及び前記弾性部材の少なくとも一つに対し、連続塗布、部分塗布、スパイラル塗布、波状塗布、間欠塗布、ストライプ塗布、千鳥塗布、ブロック塗布又はコーターによって塗布される接着剤によってさせてなる、請求項１〜請求項６のいずれか１項に記載の使い捨て衣料用生地。
【請求項８】
ホットメルト系接着剤、有機溶剤系接着剤又は水溶性接着剤により前記接着をさせてなる、請求項１〜請求項７のいずれか１項に記載の使い捨て衣料用生地。
【発明の詳細な説明】
【技術分野】
【０００１】
この発明は、使い捨て衣料の材料となる生地に関する。
【背景技術】
【０００２】
従来、使い捨てファブリック用の生地は、使い捨て衛生用品のほか、旅行用、防災用、アウトドア用、病院、施設、ホテル、等において簡易的・一時的に使用される下着、被服、寝具類など、の生地として幅広く用いられている。具体的な一例として不織布を用いたものが挙げられる。
【０００３】
不織布から構成された使い捨て下着として特許文献１に記載のものがある。この特許文献１にあっては、下着着用時に肌や陰部が透けて見えるのを防止するために、これを構成する不織布は青や緑色等の彩度の低い色に着色することが好ましいとされている。また、この特許文献１にあっては、前記不織布の目付が４０ｇ／ｍ2以下の場合には着色を施した不織布であっても透けて見えることがあり、また、前記目付が１００ｇ／ｍ2以上の場合には風合いが低下して着用感が悪くなることから、前記不織布の目付は４０〜１００ｇ／ｍ2の範囲が好ましいとされている（特許文献１の段落番号００２１参照）。
【０００４】
一方、不織布の伸長性は高くないため、この種の使い捨て下着のフリーサイズ化は困難であった。
【先行技術文献】
【特許文献】
【０００５】
【特許文献１】特開２００２−２２０７１４号公報
【発明の概要】
【発明が解決しようとする課題】
【０００６】
この発明が解決しようとする主たる問題点は、風合い、着用感、通気性が良好であり、着色などしなくても着用時に肌や陰部が透けて見える事態を生じ難く、さらに、フリーサイズ化が可能な使い捨て衣料の材料となる生地の提供にある。
【課題を解決するための手段】
【０００７】
前記課題を達成するために、この発明にあっては、使い捨て衣料用生地を、第一不織布と第二不織布とを有する積層シートと、
前記第一不織布と第二不織布との間において接着によりこれらと一体化されて前記積層シートに伸縮性を付与する弾性部材とを含んでなり、
前記弾性部材によって、前記積層シートの少なくとも一部に、前記弾性部材の伸縮方向に交叉する向きに実質的に連続する複数の凹凸付形を、この複数の凹凸付形の形成箇所において前記積層シートの平均遮光率を７５％以上とするように形成させてなる、ものとした。
【０００８】
前記生地において、長さを備えた複数の前記弾性部材を、隣り合う弾性部材との間に所定の間隔を開けて並列配置させておくことが、この発明の好ましい態様の一つとされる。また、前記積層シートの全体に前記凹凸付形を形成させておくことが、この発明の好ましい態様の一つとされる。また、前記弾性部材は、前記積層シートの伸び率を１．２〜６．０倍とさせる特性を備えたものとしておくことが、この発明の好ましい態様の一つとされる。また、前記不織布を、押圧手段により、一回以上押圧処理したものとしておくことが、この発明の好ましい態様の一つとされる。この場合、前記押圧手段は、エンボスロールを含んだものとしておくことが、この発明の好ましい態様の一つとされる。また、前記接着を、前記第一不織布、前記第二不織布及び前記弾性部材の少なくとも一つに対し、連続塗布、部分塗布、スパイラル塗布、波状塗布、間欠塗布、ストライプ塗布、千鳥塗布、ブロック塗布又はコーターによって塗布される接着剤によってさせたものとすることが、この発明の好ましい態様の一つとされる。また、前記接着を、ホットメルト系接着剤、有機溶剤系接着剤又は水溶性接着剤によりさせたものとすることが、この発明の好ましい態様の一つとされる。
【発明の効果】
【０００９】
この発明にかかる生地は、前記のように形成される複数の凹凸付形により平均遮光率を７５％以上としており、したがって、この生地には着色などをしなくともこの生地から構成される使い捨て衣料の着用時において肌や陰部が透けて見える事態が効果的に抑止できる。また、かかる複数の凹凸付形により、かかる使い捨て衣料の風合い、着用感を良好のものとすることができる。また、前記生地は支障なく薄くすることが可能であり、したがって、この生地から構成される使い捨て衣料の通気性を良好なものとすることができると共に、この観点からも使い捨て衣料の着用感を良好なものとすることができる。さらに、かかる生地によれば、これから構成される使い捨て衣料を支障なくフリーサイズ化することができる。
【図面の簡単な説明】
【００１０】
【図１】図１は、この発明の一実施の形態にかかる生地の表面構成図であり、かかる生地は図１の左右方向に連続するものである。
【図２】図２は、前記生地の斜視構成図である。
【図３】図３は、前記生地の要部拡大構成図である。
【図４】図４は、図３におけるＡ−Ａ線位置での切断端面構成図である。
【図５】図５は、図３におけるＢ−Ｂ線位置での切断端面構成図である。
【図６】図６は、図１〜図５に示される構成例と凹凸付形の形態を異ならせてなる変形例を示した前記生地の要部拡大構成図である。
【発明を実施するための形態】
【００１１】
以下、図１〜図６に基づいて、この発明の典型的な実施の形態について、説明する。この実施の形態にかかる生地１は、使い捨てのおむつ、使い捨ての下着、使い捨ての被服などの使い捨て衣料の主要材料として利用されるものである。
【００１２】
なお、本明細書中において「使い捨て衣料用生地１」とは、布帛等の複雑な縫製を施した縫製品以外の、不織布等の素材等を用いて簡易に製造した衣類であり、１回の使用で廃棄するものに限らず、短期間の使用や数回の洗濯に耐えうるものも含む。
【００１３】
かかる生地１は、積層シート２と、弾性部材３とを含んで構成される。積層シート２は、第一生地層２ａと第二生地層２ｂとを有する。弾性部材３は、第一生地層２ａと第二生地層２ｂ間にあって接着によりこれらと一体化されて前記積層シート２に伸縮性を付与するようになっている。
【００１４】
典型的には、第一生地層２ａを構成するシートと、第二生地層２ｂを構成するシートとを、間に張力を加えて引き延ばした状態の弾性部材３を介在させた状態で搬送させると共に、搬送途中で三者を接着一体化させ、この後、前記張力の付加を止めることで、伸縮性を備えた積層シート２を得ることができる。すなわち、引き延ばされた状態で第一生地層２ａを構成するシート及び第二生地層２ｂを構成するシートと一体化された弾性部材３が弾性復帰して縮むことで、第一生地層２ａを構成するシート及び第二生地層２ｂを構成するシートには後述の複数の凹凸付形４が形成されると共に、前記積層シート２には伸縮性が付与される。
【００１５】
図示の例では、前記生地１は、このように構成される積層シート２単体から、構成されている。図示は省略するが、前記生地１は、前記のように構成される積層シート２の二枚以上をさらに積層させて構成しても構わない。また、前記生地１は、前記積層シート２の一枚又は二枚以上と、単純なシートの一枚又は二枚以上とを、積層させて構成しても構わない。
【００１６】
前記第一生地層２ａ及び前記第二生地層２ｂは、使い捨て衣料の材料としての観点から、不織布又は紙から構成することが好ましい。特に、不織布は、繊維をそのままシート状にできるので、布のように織る・編むといったプロセスがない。この結果、早く大量に生産することができ、価格的にも安価で安定しているため、使い捨て生地として良好であるため、前記第一生地層２ａ及び前記第二生地層２ｂは不織布から構成することがより好ましい。以下の説明から、第一生地層２ａを「第一不織布２ａ」、第二生地層２ｂを「第二不織布２ｂ」と呼ぶ。不織布は、繊維を縦と横に織って作られる布帛以外の布を意味する。繊維には、天然繊維（植物繊維（セルロース高分子）、動物繊維（タンパク質高分子）など）のほか、精製繊維（リヨセル、テンセル等）、レーヨン、ビスコースレーション等の再生繊維、アセテート等の半合成繊維、ナイロン等の合成繊維、などの化学繊維が全て含まれ、適用用途に応じて適宜選択される。また不織布に用いる繊維は、１種単独で使用されていてもよく、２種以上が併用されていてもよい。かかる不織布としては、エアスルー不織布、スパンボンド不織布、メルトブローン不織布、スパンボンドとメルトブローンを積層した不織布、スパンレース不織布、カード法によるヒートロール（ポイントボンド）不織布、レジンボンド不織布、エアレイド不織布、ニードルパンチ不織布などを用いることができる。また、一方の不織布に離水性を持たせ、他方の不織布に吸水性を持たせて積層シート２を形成して、Ｔシャツや下着の生地に適用してもよい。
【００１７】
また、図示の例では、弾性部材３は複数であり、それぞれ長さを備え、隣り合う弾性部材３との間に所定の間隔を開けて、並列配置されている。すなわち、図示の例では、前記弾性部材３は、それぞれ、弾性糸条３ａから構成されている。なお、弾性部材３は、異なる収縮率のものを配置して、図６に示すように、後に述べる凹凸付形４、４…の形成に変化を持たせてもよい。また、図示は省略するが、かかる弾性部材３としては、網状のものを用いても構わない。また、かかる弾性部材３としては、通気穴や切り込みを複数備えたシート状のものを用いても構わない。前記弾性部材３は、ウレタン、シリコン等をベースとしたゴム、その他の合成材料からなるゴム、天然ゴム、その他の弾性素材から構成することができる。
【００１８】
前記接着は、ホットメルト系接着剤、有機溶剤系接着剤又は水溶性接着剤によりなすことが好ましい。さらに、前記接着は、ホットメルト系接着剤によりなすことがより好ましい。ホットメルト系接着剤としては、公知の接着剤、例えば、ＥＶＡ（エチレン酢酸ビニル共重合体）系、ＰＯ（ポリオレフィン）系、ＰＡ（ポリアミド）系、ＳＲ（合成ゴム）系、ＡＣＲ（アクリル）系、 ＰＵＲ（ポリウレタン・湿気硬化型）系等、がいずれも好適に用いられる。これらは、１種単独で使用してもよく、２種以上が併用されてもよい。また、前記接着は、塗布を積層シート２前面に行うと、通気性・生地１の柔軟性を悪くするとともに、弾性部材３の伸縮性を阻害するこのため、接着は、前記第一不織布２ａ、前記第二不織布２ｂ及び前記弾性部材３の少なくとも一つに対し、連続塗布、部分塗布、スパイラル塗布、波状塗布、間欠塗布、ストライプ塗布、千鳥塗布、ブロック塗布またはコーターによって塗布することが好ましい。
【００１９】
また、この実施の形態にあっては、前記弾性部材３によって、前記積層シート２の少なくとも一部に、前記弾性部材３の伸縮方向ｘに交叉する向きｙに実質的に連続する複数の凹凸付形４、４…を、この複数の凹凸付形４、４…の形成箇所において前記積層シート２の平均遮光率を７５％以上とするように、所定の厚さを持って形成させてなる。なお、具体的に、ここでいう層シート２の少なくとも一部とは、使用者が隠したい部分に対応する積層シート２の部分をいう。かかる遮光率は、積層シート２の表面に染色、印刷をしていない状態で測定する。また、かかる遮光率は、積層シート２に形成された凹凸付形４、４…の任意の少なくとも五箇所以上を測定して、その平均値で判定する。
【００２０】
図示の例では、複数の弾性部材３、３…はそれぞれ弾性糸条３ａとなっていると共に、各弾性糸条３ａはそれぞれ他の弾性糸条３ａと実質的に平行をなすように配されている。図示の例では、隣り合う弾性糸条３ａ間に、この隣り合う弾性糸条３ａ間に亘るように凹凸付形４の凹部４ａと凸部４ｂとが交互に形成された態様となっている。積層シート２の一面側において凹凸付形４の凹部４ａとなっている箇所は、積層シート２の他面側において凹凸付形４の凸部４ｂとなっている。
【００２１】
この実施の形態にかかる生地１は、前記のように形成される複数の凹凸付形４により、好ましくは遮光率を７５％以上としており、したがって、この生地１には着色などをしなくともこの生地１から構成される使い捨て衣料の着用時において肌や陰部が透けて見える事態が効果的に抑止できる。また、かかる複数の凹凸付形４により、かかる使い捨て衣料の風合い、着用感を良好のものとすることができる。また、前記生地１は支障なく薄くすることが可能であり、したがって、この生地１から構成される使い捨て衣料の通気性および透水性を良好なものとすることができると共に、この観点からも布ずれを少なくし使い捨て衣料の着用感を良好なものとすることができる。さらに、かかる生地１によれば、これから構成される使い捨て衣料を支障なくフリーサイズ化することができる。
【００２２】
図示の例では、前記凹凸付形４は、前記積層シート２の全体に形成されている。このようにした場合、前記生地１から構成される使い捨て衣料の全体に伸縮性を付与することができる。
【００２３】
また、前記フリーサイズ化の観点からは、弾性部材３は、前記積層シート２の伸び率を１．２〜６．０倍とさせる特性を備えたものとすることが、好ましい。
【００２４】
また、前記第一不織布２ａ及び前記第二不織布２ｂを構成する不織布は、押圧手段により、一回以上押圧処理したものとすることが好ましい。より具体的には、前記押圧手段は、エンボスロールを含んだものとしておくことが好ましい。このようにした場合、前記第一不織布２ａ、前記第二不織布２ｂ、及び前記弾性部材３の三者の接着一体化の後の前記張力の付加を取り除くことに伴って形成される前記凹凸付形４が、前記弾性部材３の伸縮方向ｘに交叉する向きｙに実質的に連続する態様で形成され易くするきっかけとなる癖ないし凹凸を前記不織布に付することができ、前記張力の付加を取り除くことに伴って前記生地１ができるだけ規則的に前記複数の凹凸付形４を備えたものとなるようにすることができる。具体的には、かかるエンボスロールは、ロール周面にロールの回転軸線に沿う向きの突条と溝とをロールの回転方向において交互に複数を備えたものや、ロール周面にロールの回転軸線方向に長い長穴状をなす微細な凹みを複数備えたものや、砂目、梨地を形成したものなどを用いることができる。また、前記押圧手段は、対をなすエンボスロールより構成しても、エンボスロールとこれの受けとなる平面ロールとから構成しても構わない。さらに、記第一不織布２ａ、前記第二不織布２ｂの一方、または、これら個別にエンボス加工を施すことにより、より多くの凹凸付形４、４…を形成することができる。
【００２５】
前記積層シート２表面には、必要に応じて、染料、顔料を用いて染色・塗装したり、インクジェット方式やフレキソ印刷等により文字や画像を出力したりしてもよい。
【００２６】
なお、当然のことながら、本発明は以上に説明した実施形態に限定されるものではなく、本発明の目的を達成し得るすべての実施形態を含むものである。
【実施例】
【００２７】
前記積層シート２となる積層シート２の具体的構成例についての遮光性の評価を表１に示す。なお、遮光性の評価は、ＪＩＳ  Ｌ  １０５５Ａ法  照度：１００，０００ｌｘに準じて行った。
【表１】
2018123433.tif 000003
【符号の説明】
【００２８】
１  生地
２  積層シート
２ａ  第一不織布
２ｂ  第二不織布
３  弾性部材
４  凹凸付形
ｘ  伸縮方向
ｙ  伸縮方向ｘに交叉する向き
【図１】
2018123433.tif 000004
【図２】
2018123433.tif 000005
【図３】
2018123433.tif 000006
【図４】
2018123433.tif 000007
【図５】
2018123433.tif 000008
【図６】
2018123433.tif 000009